(57)【要約】【課題】  充分に短工期でしかも低コストで施工することが可能な形態と構造の物流施設を実現する。【解決手段】  倉庫スペース２とコア部３，４を有する単位ブロック１を各階に複数連続配置してそれら単位ブロック間を防火壁５および防火シャッター６により区画する。柱を鉄筋コンクリート造とし梁を鉄骨造とする。柱を正方形配置して各柱間に大梁を正方形をなすように架設し、大梁間には小梁を架設し、隣接するスパンにおいては小梁を互いに直交する方向に架設する。基礎を独立フーチングによる独立基礎とし、１階の床を土間コンクリートにより形成する。外壁を金属板の間に断熱材を積層したサンドイッチパネルにより形成する。【選択図】      図１
2005240418.tif 000002
【特許請求の範囲】
【請求項１】
倉庫スペースとコア部を有する単位ブロックを各階に複数連続配置してそれら単位ブロック間を防火壁および防火シャッターにより区画し、柱を鉄筋コンクリート造とし梁を鉄骨造としたことを特徴とする物流施設。
【請求項２】
柱を正方形配置して各柱間に大梁を正方形をなすように架設するとともに、対向する大梁間には小梁を架設し、かつ隣接するスパンにおいては小梁を互いに直交する方向に架設したことを特徴とする請求項１記載の物流施設。
【請求項３】
基礎を独立フーチングによる独立基礎とし、１階の床を土間コンクリートにより形成したことを特徴とする請求項１または２記載の物流施設。
【請求項４】
外壁を金属板の間に断熱材を積層したサンドイッチパネルにより形成したことを特徴とする請求項１，２または３記載の物流施設。
【発明の詳細な説明】
【技術分野】
【０００１】
本発明は物流センターやハブセンター、保管用倉庫等の物流施設に関する。
【背景技術】
【０００２】
この種の物流施設には、各種の商品を効率的に輸送し、保管し、在庫管理するための様々な機能が要求されるものであり、たとえば特許文献１には必要に応じて複数のテナントが混在して使用可能な形態の物流センターについての提案がある。
【特許文献１】特開平１１−３０３４３０号公報
【発明の開示】
【発明が解決しようとする課題】
【０００３】
ところで、近年、この種の物流施設を計画し設計し施工するに当たっては、上記のような機能を充分に満足し得るものであることは言うに及ばず、その計画から設計、施工までを充分に短期間でしかも充分に低コストで実施し得るものであることが要求される。
【０００４】
上記事情に鑑み、本発明は充分に短工期でしかも低コストで施工することが可能な形態と構造の物流施設を提供することを目的としている。
【課題を解決するための手段】
【０００５】
本発明の物流施設は、倉庫スペースとコア部を有する単位ブロックを各階に複数連続配置してそれら単位ブロック間を防火壁および防火シャッターにより区画し、柱を鉄筋コンクリート造とし梁を鉄骨造としたことを特徴とするものである。
【０００６】
本発明の物流施設においては、柱を正方形配置して各柱間に大梁を正方形をなすように架設するとともに、対向する大梁間には小梁を架設し、かつ隣接するスパンにおいては小梁を互いに直交する方向に架設することが好ましい。また基礎を独立フーチングによる独立基礎とし、１階の床を土間コンクリートにより形成することが好ましい。さらに外壁を金属板の間に断熱材を積層したサンドイッチパネルにより形成することが好ましい。
【発明の効果】
【０００７】
本発明は、物流施設として最低限必要な倉庫スペースとコア部とを有する単位ブロックを組み合わせることで施設全体を構成するものであり、単位ブロックのプランと仕様を予め標準設計により設定しておいてそれを様々に組み合わせることによって、様々な用途、規模の物流施設の計画、設計、施工に際して高度の標準化、規格化、単純化、合理化を図ることができ、それにより充分な工費削減と工期短縮を実現することができる。また、この物流施設全体の構造として鉄筋コンクリート造の柱と鉄骨造の梁とによる複合構造を採用したことにより、全体を鉄骨造とする場合に比較して鉄骨加工が単純化されるし、柱に耐火被覆や保護根巻きが不要となり、また全体を鉄筋コンクリート造とする場合に比較すれば工費を削減でき、したがって鉄筋コンクリート造と鉄骨造の双方の利点を併せ持つものとなるのでより一層の工費削減と工期短縮を図ることができる。
【０００８】
特に、柱を正方形配置するとともに小梁を交互に直交方向に架設することにより、各構造部材の単一化と量産化、施工の簡略化を図ることができる。また、独立フーチングによる独立基礎と土間コンクリートの採用により、地中梁を省略して基礎工事の軽減を充分に図ることができる。さらに、サンドイッチパネルによる外壁の採用により、耐候性と断熱性に優れた外壁を効率的に施工することができる。
【発明を実施するための最良の形態】
【０００９】
図１〜図７に本発明の実施形態である物流施設の一設計例を示す。これは横長矩形の平面形状を有する４階建ての規模のものであるが、各階の平面プランは４つの単位ブロック１が連続配置されることで構成されたものとなっている。
【００１０】
各単位ブロック１は予め標準設計により標準的なプランと仕様が設定されたものであって、図示例のものは倉庫スペース２の一画に１基または２基のエレベータが設けられるコア部３を有するものとされ、両側に位置する単位ブロック１にはさらに階段室やトイレ等が設けられるコア部４を有するものとされている。いずれにしても、これら単位ブロック１の面積はこの種の施設における防火区画面積である１５００ｍ２以内とされていて、隣接配置された単位ブロック１間に防火壁５と防火シャッター６を設けることのみで法規上必要とされる防火区画が自ずと形成されるようになっている。
【００１１】
なお、図１に例示しているように図示例の物流施設は両方向のスパンがそれぞれ１０ｍとされ、各階は１２スパン×５スパン（１２０ｍ×５０ｍ）の大きさとされている。また、図２に例示しているように各階の階高は６ｍ以上とされ、図示例のものでは１階が６．８ｍ、２階および３階が６．６ｍ、４階が６．３ｍとされている。また、各階の平面プランは基本的に共通であるが、図１に示すように１階には前面側にトラックが寄り着くためのプラットフォーム７が設けられ、それに面する開口部にはオーバースライダー８が設けられ、プラットフォーム７の上方には庇９が設けられている。
【００１２】
本実施形態の物流施設の構造としては、鉄筋コンクリート造と鉄骨造との複合構造が採用されている。すなわち、この物流施設では、図３に示すように柱１１が鉄筋コンクリート造とされてそれら柱１１間に鉄骨梁からなる大梁１２が架設され、その上にデッキプレートを打込型枠としてコンクリートスラブ１３が形成されることで躯体が構成されている。このような複合構造は、全体を鉄骨造とする場合には必要となる柱に対する耐火被覆が不要であるし、梁鉄骨に対する複雑な加工が不要であり、また全体を鉄筋コンクリート造とする場合に比較すれば工費を削減することができるので、鉄筋コンクリート造と鉄骨造の双方の利点を併せ持つ極めて合理的な構造であるといえる。なお、図３（ａ）に破線で示しているように必要に応じて任意の柱を省略することでそこに無柱大空間を確保することも可能である。また、柱１１をプレキャストコンクリート柱とすることも勿論可能である。
【００１３】
また、本実施形態の物流施設では柱１１が正方形配置されており、したがって上記の大梁１２は各柱１１間に正方形をなすように架設されているのであるが、それに加えて図４に示すように対向する大梁１２間には小梁１４を架設するとともに、それら小梁１４を隣接するスパンにおいては互いに直交する方向に架設するものとし、さらに必要に応じて破線で示しているように孫梁１５を架設するようにしている。そのようなシンプルな正方形モジュールを採用するとともに小梁１４の架設方向を交互に設定するという構造の採用により、架構全体が両方向のバランスに優れたものとなるばかりでなく、各構造部材の単一化と量産化を図ることができ、施工も単純化されて効率的な施工が可能なものとなっている。
【００１４】
また、本実施形態の物流施設では、図３（ａ）に示しているように基礎としては独立フーチング１６による独立基礎が採用され、かつ、原地盤の表層部を地盤改良することで改良土層１７を形成し、その上に１階のスラブを土間コンクリート１８として形成している。このような基礎の構造はこの種の施設における通常の基礎に較べて遙かに単純化されたものとなっており、したがって基礎工事を大幅に軽減することができて基礎工事に関わるコスト削減と工費削減を充分に図ることができるものとなっている。
【００１５】
なお、上記構造の基礎においては、独立フーチング１６の上面を斜面に形成し、その施工に際しては鋼製メッシュを打込型枠として採用することが好ましい。ただし、基礎の構造としてはそれに限るものではなく、図５（ａ）に示すような単純な形状の独立フーティング１６としても勿論良い。また、上記のように１階のスラブを土間コンクリート１８により形成することに代えて、（ｂ）に示すようにフラットスラブ１９により形成することでも良く、その場合は原地盤とフラットスラブ１９との間には単なる盛土層２０を形成すれば良い。あるいは（ｃ）に示すように通常の基礎と同様にフーチング２１間に両方向の地中梁２２を設け、その上に構造スラブ２３を形成することでも良い。いずれの場合も、地盤条件によっては杭２４を設ければ良い。
【００１６】
また、本実施形態の物流施設では、外壁としてサンドイッチパネルを採用することが好ましい。サンドイッチパネルは断熱材の両面に金属板を積層したもので、それ自体で優れた断熱性と耐火性能を有するものである。そのようなサンドイッチパネルによる外壁の施工に際しては、図６に示すように複数（図示例では６枚）のサンドイッチパネル３０を予め連結材３１により連結したユニットとして地組しておき、それを一括して吊り上げて外壁として躯体に取り付ければ良い。その際、連結材３１にはボルト３２を突設しておくとともに躯体には連結金具３３を取り付けておけば、ボルト３２を連結金具３３に締結することのみで連結材３１がそのまま縦胴縁として機能してユニット全体を容易にかつ精度良く取り付けることが可能である。なお、屋根の構造としては折板を二重としてその間に断熱材を介装したダブル折板葺とすることが好ましい。
【００１７】
さらに、単位ブロック１間に設ける防火シャッター６の周辺部には、図７に示すようにシャッターボックス４０の他に、上部欄間４１や袖壁４２、シャッターレール４３、防火戸４４、開口部補強用のガード４５、屋内消火栓４６等が設置されるので、それらを予めパッケージ化、ユニット化しておくことが好ましく、それにより防火シャッター６まわりの諸工事を簡略化でき施工性を向上させることができる。
【００１８】
なお、上記実施形態の物流施設はあくまで一例に過ぎず、本発明は上記実施形態に限定されることなく様々な規模、用途の物流施設に広く適用できるものである。そして、各単位ブロック１には少なくとも物流施設として最も基本的な倉庫スペース２と必要最少限のコア部３を設けることに加えて、たとえばクリーンルームやコンピュータ室、冷凍・冷蔵室等、それぞれの物流施設の用途に応じて必要とされる様々な機能の諸室を設ければ良い。また、その構造としては、鉄筋コンクリート造と鉄骨造との複合構造とすることを基本として、必要に応じて建屋全体あるいはその一部を免震支持する免震構造を採用したり、要所に各種の制震ダンパーを組み込む制震構造を採用することは任意である。
【図面の簡単な説明】
【００１９】
【図１】本発明の一実施形態である物流施設の平面プランの一設計例を示す図である。
【図２】同、断面図である。
【図３】同、躯体の概要を示す断面図である。
【図４】同、平面図である。
【図５】同、基礎の構成例を示す図である。
【図６】同、外壁の構成例を示す図である。
【図７】同、防火シャッター廻りの構成例を示す図である。
【符号の説明】
【００２０】
１  単位ブロック
２  倉庫スペース
３，４  コア部
５  防火壁
６  防火シャッター
１１  柱
１２  大梁
１４  小梁
１６  独立フーチング
１８  土間コンクリート
３０  サンドイッチパネル
【図１】
2005240418.tif 000003
【図２】
2005240418.tif 000004
【図３】
2005240418.tif 000005
【図４】
2005240418.tif 000006
【図５】
2005240418.tif 000007
【図６】
2005240418.tif 000008
【図７】
2005240418.tif 000009